(57)【要約】      （修正有）【課題】水の筐体内侵入を防止し、バッテリ群の交換を容易にする直流エアポンプを提供する。【解決手段】一体成型された筐体３０内に収容スペースが設けられており、底側に当該収容スペースと連通する開口が設けられている。筐体３０の収容スペース内には空気送りモジュールとスイッチ群が装設されている。また、引き出し式の底蓋６０にバッテリ群７０を載置可能であり、底蓋６０が筐体３０における底側の開口に覆合されると、バッテリ群７０が筐体３０内のスイッチ群に電気的に連結されて、当該スイッチ群により電気的な開閉制御を実施可能となる。これによれば、底側にのみ開口を備える一体成型された筐体３０を利用することで、水が上方から飛散して筐体３０内に侵入するとの事態を効果的に防止可能となる。また、底蓋６０を引き出すことでバッテリ群７０を容易に交換可能となる。したがって、防水効果が向上し、且つ、使用しやすいとの効果が得られる。【選択図】図１４
2019106985.tif 000002
【特許請求の範囲】
【請求項１】
天井側に天板を有し、当該天板の左側縁に第１側板が接続されており、右側縁に第２側板が接続されており、更に、後側縁に第３側板が接続されており、前側縁に第４側板が接続されており、更に、収容スペースが設けられており、底側に当該収容スペースと連通する開口が設けられている、一体成型された方形筐体と、
当該筐体の収容スペースに収容されるとともに、空気送りポンプとモータを備え、空気を排出すべく動作する空気送りモジュールと、
当該筐体の収容スペースに収容されるとともに、当該モータの開閉を制御するよう、当該空気送りモジュールのモータに電気的に連結され、且つ、スイッチボタンが当該筐体から伸出しているスイッチ群と、
当該筐体における底側の開口にスライド可能に覆合されて当該筐体の収容スペースに収容されるとともに、載置部が設けられた底蓋と、
当該底蓋の載置部に設置され、当該底蓋によって当該筐体の収容スペースに収容されるよう移動するとともに、当該スイッチ群に電気的に連結されることで、当該空気送りモジュールのモータの動作に要する電源を供するバッテリ群、を含む直流エアポンプ。
【請求項２】
当該底蓋は左側に第１架設ロッドが延設されており、右側に第２架設ロッドが延設されており、当該第１架設ロッドと第２架設ロッドの間には、当該バッテリ群を載置するための載置部が設けられており、更に、当該筐体における第１側板の内面には第１スライド溝が設けられており、当該第１スライド溝のうち開口寄りの箇所には第１当止部が設けられており、当該第２側板の内面には第２スライド溝が設けられており、当該第２スライド溝のうち開口寄りの箇所には第２当止部が設けられており、当該底蓋の第１架設ロッド及び第２架設ロッドは、それぞれ第１側板の第１スライド溝及び第２側板の第２スライド溝内で摺動可能であって、当該底蓋を引き出し可能に当該筐体の収容スペース内で摺動させる請求項１に記載の直流エアポンプ。
【請求項３】
当該第１架設ロッドの端部箇所には、弾性的に内側へ収縮可能であって且つ当該第１スライド溝に摺動可能に設けられる第１掛合ブロックが設置されており、当該第２架設ロッドの端部箇所には、弾性的に内側へ収縮可能であって且つ当該第２スライド溝に摺動可能に設けられる第２掛合ブロックが設置されており、当該第１掛合ブロック及び第２掛合ブロックは、それぞれ当該第１スライド溝の第１当止部及び当該第２スライド溝の第２当止部に当止可能である請求項２に記載の直流エアポンプ。
【請求項４】
当該底蓋の第１架設ロッドと第２架設ロッドの間には接続プレートが設けられており、当該接続プレートには弾性的に内側へ収縮可能な第３掛合ブロックが設けられており、当該筐体における第３側板の内面には第３スライド溝が設けられており、且つ、当該第３スライド溝における開口寄りの箇所には第３当止部が設けられており、当該接続プレートの第３掛合ブロックが当該第３スライド溝内で摺動して当該第３当止部に当止可能である請求項２に記載の直流エアポンプ。
【請求項５】
当該空気送りモジュールは、台座に当該空気送りポンプと当該モータが装設されており、当該空気送りポンプには、弾性的に圧縮可能なキャップと、当該筐体を貫通する排気管が設けられており、当該モータが連結されることで、当該キャップは圧縮を繰り返す空気送り動作を実施し、当該排気管から空気が排出される請求項１に記載の直流エアポンプ。
【請求項６】
当該空気送りモジュールの台座をボルトで当該筐体に緊締することで、当該空気送りモジュールを当該筐体の収容スペースに装設及び固定するとともに、当該空気送りポンプの排気管を当該筐体から伸出させる請求項５に記載の直流エアポンプ。
【請求項７】
当該スイッチ群のスイッチボタンの外部には防水カバーが装設されている請求項１に記載の直流エアポンプ。
【請求項８】
当該筐体の収容スペース内には、当該スイッチ群に電気的に連結される第１電極コネクタ及び第２電極コネクタが装設されている請求項１に記載の直流エアポンプ。
【請求項９】
当該底蓋の少なくとも一方の側にはＵ型の弾性片が設けられており、且つ、当該弾性片にはフック部が設けられており、更に、当該筐体の少なくとも１つの内面における開口寄りの箇所には係合部が設けられており、当該底蓋の弾性片のフック部が当該筐体の係合部に対応して係合可能である請求項１に記載の直流エアポンプ。
【発明の詳細な説明】
【技術分野】
【０００１】
本発明は、特に、水が上方から飛散して筐体内に侵入するとの事態を効果的に防止可能であり、且つ、容易にバッテリ群を交換可能なことから、防水効果が有効に向上し、且つ使用しやすい直流エアポンプを提供する。
【背景技術】
【０００２】
通常、魚釣りの際にはフィッシングバケツに魚を投入し、エアポンプで水中に空気を送り込む。これにより、フィッシングバケツ内の水に適切な酸素含有量を維持させられるため、酸欠による魚の死亡が回避される。
【０００３】
図１、図２、図３を参照して、従来のエアポンプは、筐体１０内に前方が開放状の第１収容部１０１と第２収容部１０２が設けられており、当該第１収容部１０１内に空気送りポンプ１１とモータ１２が装設されている。当該空気送りポンプ１１には、弾性的に圧縮可能なキャップ１１１と、筐体１０の天井側を貫通する排気管１１２が設けられている。且つ、モータ１２が連結されることで、当該キャップ１１１が圧縮を繰り返す空気送り動作を実施し、排気管１１２から空気が排出される。更に、筐体１０の第２収容部１０２内にはバッテリ群１３が装設されている。筐体１０の天井側には、モータ１２の開閉を制御すべく、防水カバー１４１を備え且つモータ１２とバッテリ群１３の間に電気的に連結されるスイッチ１４が装設されている。また、第１収容部１０１に対する空気送りポンプ１１とモータ１２の組み付け、及び、第２収容部１０２に対するバッテリ群１３の組み付けと交換が容易となるよう、更に、筐体１０の一方の側縁には、当該第１収容部１０１に覆合される第１カバープレート１０３と、第２収容部１０２に覆合される第２カバープレート１０４が連設されている。図２、図３、図４を参照して、フィッシングバケツ２０に配置して使用する際には、当該空気送りポンプ１１の排気管１１２が管路２１を介してフィッシングバケツ２０内の水と連通する。そして、モータ１２を起動し、連結することで、当該空気送りポンプ１１のキャップ１１１が圧縮を繰り返し、且つ、接続される排気管１１２及び管路２１を経由してフィッシングバケツ２０内の水に空気が送り込まれる結果、フィッシングバケツ２０内の水が適切な酸素含有量を維持可能となる。ここで、一般的に、フィッシングバケツ２０にエアポンプを配置する場合、筐体１０上のスイッチ１４と空気送りポンプ１１の排気管１１２は、操作及び使用が容易となるよう上向きに配置される。ところが、フィッシングバケツ２０に水を注入する過程において、使用者は上方から注ぎ込むようにして水を注入するため、当該エアポンプ周りは水の飛散や水浴に度々晒されることになる。スイッチ１４が直に水の飛散や水浴に晒されるとの事態を回避すべく、スイッチ１４には防水カバー１４１が設けられてはいるものの、当該筐体１０と第１及び第２カバープレート１０３，１０４との間には隙間が存在するため、水は容易に当該隙間から筐体１０内に浸み込んでしまう。これにより、モータ１２、バッテリ群１３及びスイッチ１４に短絡の恐れがあるだけでなく、モータ１２、バッテリ群１３及びスイッチ１４が損傷しやすくなるため、使用において不都合が生じる。また、当該筐体１０の第１及び第２カバープレート１０３，１０４の周縁及び空気送りポンプ１１の排気管１１２部分に防水ストリップを追加することで防水効果を与えてもよいが、この場合には製造及び組み立てが面倒となり、製造・組み立てコストも増加する。
【０００４】
上記に鑑みて、本発明の発明者は、関連業界における長年の研究開発と製造の経験に基づいて、現在直面している課題につき研究を深めた。そして、長期にわたり研究と試作に努力を重ねた結果、ついに本発明の設計主旨である従来技術の瑕疵を効果的に改良可能な直流エアポンプを開発した。
【発明の概要】
【発明が解決しようとする課題】
【０００５】
本発明における第１の目的は、一体的に成型された筐体内に収容スペースが設けられており、底側に当該収容スペースと連通する開口が設けられており、当該筐体の収容スペース内に空気送りモジュールとスイッチ群が装設されており、引き出し式の底蓋にバッテリ群を載置可能であり、当該底蓋が当該筐体における底側の開口に覆合されると、当該バッテリ群が筐体内のスイッチ群に電気的に連結されて、当該スイッチ群により電気的な開閉制御を実施可能となる直流エアポンプを提供することである。これによれば、底側にのみ開口を備える一体成型された筐体を利用することで、水が上方から飛散して筐体内に侵入するとの事態を効果的に防止可能となる。結果、筐体内部のモジュールの短絡及び損傷が回避されるため、製造及び組立コストが節約され、且つ、防水効果が有効に向上するとの効果が得られる。
【０００６】
本発明における第２の目的は、引き出し式の底蓋を利用してバッテリ群を載置する直流エアポンプを提供することである。これによれば、当該筐体の底側の開口に覆合される際にモータの動作に要する電源を供給可能となるだけでなく、当該底蓋を外側へ引き出してバッテリ群を筐体の収容スペースから移動させることでバッテリ交換を容易に実施可能となるため、使用しやすいとの効果が得られる
【図面の簡単な説明】
【０００７】
【図１】図１は、従来のエアポンプにおける部品の分解図である。
【図２】図２は、従来のエアポンプの組み立て時の外観図である。
【図３】図３は、従来のエアポンプの組み立て時の断面図である。
【図４】図４は、従来のエアポンプの使用を示す図である。
【図５】図５は、本発明の部品の分解図である。
【図６】図６は、本発明の組み立て時の外観図である。
【図７】図７は、図６のＡ−Ａ断面図である。
【図８】図８は、図６のＢ−Ｂ断面図である。
【図９】図９は、本発明の使用を示す図（１）である。
【図１０】図１０は、本発明の使用を示す図（２）である。
【図１１】図１１は、本発明の使用を示す図（３）である。
【図１２】図１２は、本発明のバッテリ交換時の使用を示す図（１）である。
【図１３】図１３は、本発明のバッテリ交換時の使用を示す図（２）である。
【図１４】図１４は、本発明のバッテリ交換時の使用を示す図（３）である。
【発明を実施するための形態】
【０００８】
審査官が本発明をいっそう理解可能となるよう、好ましい実施例を挙げつつ、図面を組み合わせて以下の通り詳述する。
【０００９】
図５〜８を参照して、本発明の直流エアポンプは、筐体３０、空気送りモジュール４０、スイッチ群５０、底蓋６０及びバッテリ群７０を含む。当該筐体３０は一体的に製造及び成型されており、底側にのみ開口が設けられている。本実施例において、当該筐体３０は５つの面を有する方形体であって、天井側に天板３１が成型されている。当該天板３１の左側縁には第１側板３２が一体的に接続されており、右側縁には第２側板３３が一体的に接続されている。更に、後側縁には第３側板３４が一体的に接続されており、前側縁には第４側板３５が一体的に接続されている。当該筐体３０内には収容スペース３６が設けられており、底側に当該収容スペース３６と連通する開口３７が設けられている。当該筐体３０の収容スペース３６内には、空気送りモジュール４０、スイッチ群５０、底蓋６０及びバッテリ群７０を収容可能である。本実施例において、当該収容スペース３６内には当該空気送りモジュール４０が装設されている。また、当該空気送りモジュール４０は、台座４１に空気送りポンプ４２とモータ４３が設けられている。また、当該空気送りポンプ４２には、弾性的に圧縮可能なキャップ４２１と、筐体３０の天板３１を貫通する排気管４２２が設けられている。且つ、モータ４３が連結されることで、当該キャップ４２１が圧縮を繰り返す空気送り動作を実施し、当該排気管４２２から空気が排出される。なお、当該空気送りモジュール４０は従来技術であり、且つ本発明における設計の要点ではないためここでは詳述しない。本実施例において、当該空気送りモジュール４０は外部で組み立てを完了してから、当該筐体３０の底側の開口３７から収容スペース３６内に装入される。続いて、当該空気送りモジュール４０の台座４１をボルト４４で当該筐体３０の天板３１に緊締することで、当該空気送りモジュール４０を当該筐体３０の収容スペース３６における天井部位に装設及び固定するとともに、当該空気送りポンプ４２の排気管４２２を当該筐体３０の天板３１から伸出させる。また、排気管４２２と当該筐体３０の天板３１との間には防水リング４２３が嵌設される。更に、当該筐体３０の収容スペース３６内には、モータ４３の開閉を制御するよう、当該モータ４３に電気的に連結されるスイッチ群５０が装設されている。本実施例において、当該スイッチ群５０は空気送りモジュール４０の台座４１に装設されており、且つ、そのスイッチボタンが筐体３０の天板３１から伸出している。また、当該スイッチ群５０のスイッチボタンの外部には防水カバー５１が装設されている。更に、当該筐体３０の収容スペース３６内にはスイッチ群５０に電気的に連結される２つの電極コネクタが設けられている。本実施例において、当該筐体３０は、第１側板３２及び第２側板３３の内面に、それぞれ当該スイッチ群５０と電気的に連結される第１電極コネクタ５２及び第２電極コネクタ５３が装設されている。当該筐体３０の第１側板３２の内面には、当該第１電極コネクタ５２を挿入及び固定するための第１挿入溝３２１が設けられており、当該第２側板３３の内面には、当該第２電極コネクタ５３を挿入及び固定するための第２挿入溝３３１が設けられている。また、バッテリを交換しやすいよう、引き出し式の底蓋６０が、摺動可能に当該筐体３０における底側の開口３７に覆合されるとともに、少なくとも１つのバッテリ７１を有するバッテリ群７０を装設するために供される。これにより、当該バッテリ群７０は、当該底蓋６０によって当該筐体３０の収容スペース３６に収容されるよう移動可能となる。且つ、当該底蓋６０が覆合されると、当該バッテリ群７０のバッテリ７１における２つの電極がそれぞれ当該スイッチ群５０に電気的に連結されることで、当該空気送りモジュール４０のモータ４３の動作に要する電源が供される。本実施例において、当該バッテリ群７０のバッテリ７１における２つの電極は、それぞれ第１電極コネクタ５２と第２電極コネクタ５３に電気的に連結される。そして、当該第１電極コネクタ５２、第２電極コネクタ５３及びスイッチ群５０を通じて、当該空気送りモジュール４０のモータ４３の動作に要する電源が供される。本実施例において、当該底蓋６０は左側に第１架設ロッド６１が延設されており、右側に第２架設ロッド６２が延設されている。当該第１架設ロッド６１と第２架設ロッド６２の間には、接続プレート６３と、当該バッテリ群７０を載置するための載置部６４が設けられている。更に、当該筐体３０における第１側板３２の内面には第１スライド溝３２２が設けられており、当該第１スライド溝３２２のうち開口３７寄りの箇所に第１当止部３２３が設けられている。また、当該第２側板３３の内面には第２スライド溝３３２が設けられており、当該第２スライド溝３３２のうち開口３７寄りの箇所に第２当止部３３３が設けられている。これにより、当該底蓋６０の第１架設ロッド６１及び第２架設ロッド６２は、それぞれ第１側板３２の第１スライド溝３２２及び第２側板３３の第２スライド溝３３２内で摺動可能となって、当該底蓋６０を引き出し可能に当該筐体３０の収容スペース３６内で摺動させる。且つ、当該底蓋６０が覆合されると、当該バッテリ群７０のバッテリ７１における２つの電極は、それぞれ第１電極コネクタ５２及び第２電極コネクタ５３に電気的に連結される。また、当該底蓋６０が当該筐体３０から意図せず離脱するとの事態が防止されるよう、当該第１架設ロッド６１の端部箇所には、弾性的に内側へ収縮可能であって且つ当該第１スライド溝３２２に摺動可能に設けられる第１掛合ブロック６１１が設置されており、且つ、当該第２架設ロッド６２の端部箇所には、弾性的に内側へ収縮可能であって且つ当該第２スライド溝３３２に摺動可能に設けられる第２掛合ブロック６２１が設置されている。当該第１掛合ブロック６１１及び第２掛合ブロック６２１がそれぞれ当該第１スライド溝３２２の第１当止部３２３及び第２スライド溝３３２の第２当止部３３３に当止することで、当該底蓋６０が当該筐体３０から意図せず離脱するとの事態を防止可能となる。また、当該底蓋６０の接続プレート６３には、弾性的に内側へ収縮可能な第３掛合ブロック６３１を増設してもよい。一方、当該筐体３０における第３側板３４の内面に第３スライド溝３４１を設けるとともに、当該第３スライド溝３４１における開口３７寄りの箇所に第３当止部３４２を設ける。これにより、当該接続プレート６３の第３掛合ブロック６３１が当該第３スライド溝３４１内で摺動して当該第３当止部３４２に当止可能となるため、底蓋６０の引き出し及び摺動の安定性が強化される。当該底蓋６０を安定的に当該筐体３０の底側に覆合するために、当該底蓋６０の左側には略Ｕ型の第１弾性片６５が設けられており、且つ、当該第１弾性片６５には略突起状の第１フック部６５１が設けられている。また、当該底蓋６０の右側には略Ｕ型の第２弾性片６６が設けられており、且つ、当該第２弾性片６６には略突起状の第２フック部６６１が設けられている。更に、当該筐体３０の第１側板３２の内面における開口３７寄りの箇所には、略凹溝状の第１係合部３２４が設けられており、第２側板３３の内面における開口３７寄りの箇所には、略凹溝状の第２係合部３３４が設けられている。これにより、当該底蓋６０の第１弾性片６５における第１フック部６５１及び第２弾性片６６の第２フック部６６１が、それぞれ当該第１側板３２の第１係合部３２４及び第２側板３３の第２係合部３３４に対応して係合可能となるため、当該底蓋６０は安定的に当該筐体３０の底側に覆合されて開口３７を封止する。また、底蓋６０の載置部６４上のバッテリ７１における正極及び負極がそれぞれ当該第１電極コネクタ５２及び第２電極コネクタ５３に接触して導通することで、モータ４３の動作に要する電源が供されるとともに、スイッチ群５０によって電気的な開閉制御がなされる。このほか、当該空気送りモジュール４０を当該底蓋６０に装設するとともに、底蓋６０が筐体３０に覆合される際に、同様に、空気送りモジュール４０の排気管４２２及びスイッチ群５０を当該筐体３０の天板３１から伸出させてもよい。
【００１０】
図９、図１０、図１１を参照して、本発明の直流エアポンプをフィッシングバケツ８０に配置して使用する際には、当該空気送りポンプ４２の排気管４２２に管路８１を接続して、当該フィッシングバケツ８０内と連通させる。使用者が上方から注ぎ込むようにしてフィッシングバケツ８０に水を注入する場合、当該直流エアポンプ周りが水の飛散や水浴に晒されたとしても、当該筐体３０の天板３１、第１側板３２、第２側板３３、第３側板３４及び第４側板３５は一体的に接続されており、且つ、筐体３０と底蓋６０の開口３７が底側に位置している。また、当該空気送りポンプ４２の排気管４２２と当該筐体３０の天板３１との間には防水リング４２３が嵌設されており、当該スイッチ群５０には防水カバー５１が備わっている。これらにより、当該筐体３０は天井側と全周が密封状態となっている。そのため、筐体３０内への浸水を効果的に防止可能となり、短絡の発生や筐体３０内部のモジュールの損傷が回避されることから、防水効果の向上及び製造・組み立てコストの節約が可能となる。当該フィッシングバケツ８０内への水の注入及び魚の投入が完了すると、当該スイッチ群５０によって当該空気送りモジュール４０のモータ４３を起動するよう制御すればよい。そして、モータ４３が連結されることで、当該空気送りポンプ４２のキャップ４２１が圧縮を繰り返す空気送り動作を実施し、且つ、接続される排気管４２２及び管路８１を経由してフィッシングバケツ８０内の水に空気が送り込まれる結果、フィッシングバケツ８０内の水が適切な酸素含有量を維持可能となる。
【００１１】
図１２、図１３、図１４を参照して、本発明の直流エアポンプは、バッテリ群７０のバッテリ７１を交換する場合、当該底蓋６０の第１弾性片６５及び第２弾性片６６を内側に圧縮して、当該第１弾性片６５の第１フック部６５１及び第２弾性片６６の第２フック部６６１をそれぞれ筐体３０の第１係合部３２４及び第２係合部３３４に対する係合から解放することで、底蓋６０を外側に引き出し可能とする。ここで、当該筐体３０の第１当止部３２３、第２当止部３３３及び第３当止部３４２によって、当該底蓋６０の第１掛合ブロック６１１、第２掛合ブロック６２１及び第３掛合ブロック６３１がそれぞれ当止されるため、筐体３０からの底蓋６０の離脱が防止される。そして、バッテリ群７０のバッテリ７１を筐体３０の収容スペース３６から取り出すことで、バッテリ７１の交換が実施される。
【００１２】
以上、本発明は確かな実用性と進歩性を備えた設計であり、同様の製品及び刊行物は公開されていないため、特許の出願要件を満たしている。よって、法に基づき出願する。
【符号の説明】
【００１３】
従来部分：
１０    筐体
１０１  第１収容部
１０２  第２収容部
１０３  第１カバープレート
１０４  第２カバープレート
１１    空気送りポンプ
１１１  キャップ
１１２  排気管
１２    モータ
１３    バッテリ群
１４    スイッチ
１４１  防水カバー
２０    フィッシングバケツ
２１    管路
本発明部分：
３０    筐体
３１    天板
３２    第１側板
３２１  第１挿入溝
３２２  第１スライド溝
３２３  第１当止部
３２４  第１係合部
３３    第２側板
３３１  第２挿入溝
３３２  第２スライド溝
３３３  第２当止部
３３４  第２係合部
３４    第３側板
３４１  第３スライド溝
３４２  第３当止部
３５    第４側板
３６    収容スペース
３７    開口
４０    空気送りモジュール
４１    台座
４２    空気送りポンプ
４２１  キャップ
４２２  排気管
４２３  防水リング
４３    モータ
４４    ボルト
５０    スイッチ群
５１    防水カバー
５２    第１電極コネクタ
５３    第２電極コネクタ
６０    底蓋
６１    第１架設ロッド
６１１  第１掛合ブロック
６２    第２架設ロッド
６２１  第２掛合ブロック
６３    接続プレート
６３１  第３掛合ブロック
６４    載置部
６５    第１弾性片
６５１  第１フック部
６６    第２弾性片
６６１  第２フック部
７０    バッテリ群
７１    バッテリ
８０    フィッシングバケツ
８１    管路
【図１】
2019106985.tif 000003
【図２】
2019106985.tif 000004
【図３】
2019106985.tif 000005
【図４】
2019106985.tif 000006
【図５】
2019106985.tif 000007
【図６】
2019106985.tif 000008
【図７】
2019106985.tif 000009
【図８】
2019106985.tif 000010
【図９】
2019106985.tif 000011
【図１０】
2019106985.tif 000012
【図１１】
2019106985.tif 000013
【図１２】
2019106985.tif 000014
【図１３】
2019106985.tif 000015
【図１４】
2019106985.tif 000016